(57)【要約】【課題】所見の記入作業や閲覧作業の効率化を図る。【解決手段】眼科情報処理システム１のテンプレート作成部１５は、眼科画像Ｇに基づいてシェーマ・テンプレートＴを作成する。主制御部１１１は、シェーマ・テンプレートＴを記憶部１２に記憶させる。更に、主制御部１１１は、オペレータが操作部１３により所定の操作を行ったときに、記憶部１２からシェーマ・テンプレートＴを読み出して表示部１４に表示させる。また、主制御部１１１は、オペレータが操作部１３を用いて所見情報等の情報を入力すると、入力された情報をシェーマ・テンプレートＴに付加する。【選択図】図１
2009106532.tif 000002
【特許請求の範囲】
【請求項１】
被検眼の部位の形態を表す眼科画像を記憶する記憶手段と、
前記眼科画像に基づいて、前記部位の概略形態を表す画像を含むシェーマ・テンプレートを作成する作成手段と、
前記シェーマ・テンプレートを前記記憶手段に記憶させる制御手段と、
操作手段と、
表示手段と、
を備え、
前記制御手段は、前記操作手段により所定の操作がなされたときに、前記記憶手段から前記シェーマ・テンプレートを読み出して前記表示手段に表示させ、前記操作手段を用いて入力された情報を前記シェーマ・テンプレートに付加する、
ことを特徴とする眼科情報処理システム。
【請求項２】
前記制御手段は、前記眼科画像に対応する被検眼の識別情報に関連付けて前記シェーマ・テンプレートを前記記憶手段に記憶させ、前記所定の操作として被検眼の識別情報が指定されたときに、該識別情報に関連付けられたシェーマ・テンプレートを読み出して表示させる、
ことを特徴とする請求項１に記載の眼科情報処理システム。
【請求項３】
前記制御手段は、前記シェーマ・テンプレートとともに眼科画像を前記表示手段に表示させ、前記操作手段により該眼科画像上に入力された情報を前記シェーマ・テンプレートに付加する、
ことを特徴とする請求項１又は請求項２に記載の眼科情報処理システム。
【請求項４】
前記制御手段は、前記シェーマ・テンプレートと該眼科画像との位置合わせを行う位置合わせ手段を含み、前記位置合わせの結果に基づいて該眼科画像への情報の入力位置に対応する前記シェーマ・テンプレート中の位置を特定し、前記特定された位置に前記情報を付加する、
ことを特徴とする請求項３に記載の眼科情報処理システム。
【請求項５】
前記作成手段は、被検眼の所定部位に対応する画像領域を前記眼科画像から抽出する抽出手段を含み、前記画像領域に基づいて前記シェーマ・テンプレートを作成する、
ことを特徴とする請求項１又は請求項２に記載の眼科情報処理システム。
【請求項６】
前記眼科画像はカラー画像であり、
前記作成手段は、前記カラー画像をモノクロの輝度画像に変換する変換手段を含み、
前記抽出手段は、前記輝度画像の各画素の輝度値に基づく閾値処理を行って前記画像領域を抽出する、
ことを特徴とする請求項５に記載の眼科情報処理システム。
【請求項７】
前記作成手段は、前記抽出手段により抽出された画像領域以外の領域の画像を消去する消去手段を含み、前記画像領域に基づいて前記シェーマ・テンプレートを作成する、
ことを特徴とする請求項５又は請求項６に記載の眼科情報処理システム。
【請求項８】
前記作成手段は、前記抽出手段により抽出された画像領域に基づいて線画像を描画する描画手段を含み、前記線画像を含む画像を前記シェーマ・テンプレートとする、
ことを特徴とする請求項５〜請求項７のいずれか一項に記載の眼科情報処理システム。
【請求項９】
前記眼科画像は眼底像であり、
前記抽出手段は、所定の血管径以上の太さの眼底血管に対応する血管領域と、視神経乳頭に対応する乳頭領域とを前記眼底像から抽出し、
前記描画手段は、前記血管領域の中心線に沿った線画像と、前記乳頭領域の外周に沿った線画像とを描画する、
ことを特徴とする請求項８に記載の眼科情報処理システム。
【請求項１０】
前記記憶手段は、被検眼の同一部位の第１の眼科画像、及び、前記第１の眼科画像よりも後に取得された第２の眼科画像を記憶し、
前記作成手段は、前記第１の眼科画像に基づいて第１のシェーマ・テンプレートを作成し、前記第２の眼科画像に基づいて第２のシェーマ・テンプレートを作成し、
前記制御手段は、前記第１のシェーマ・テンプレートと前記第２のシェーマ・テンプレートとの相違を表す相違情報を生成する相違情報生成手段を含み、前記相違情報に基づいて前記第１のシェーマ・テンプレート及び前記第２のシェーマ・テンプレートのうちの一方を選択して前記表示手段に表示させる、
ことを特徴とする請求項１又は請求項２に記載の眼科情報処理システム。
【請求項１１】
前記記憶手段は、被検眼の同一部位の第１の眼科画像及び第２の眼科画像を記憶し、
前記作成手段は、前記第１の眼科画像に基づいて第１のシェーマ・テンプレートを作成し、前記第２の眼科画像に基づいて第２のシェーマ・テンプレートを作成し、
前記制御手段は、前記第１のシェーマ・テンプレートと前記第２のシェーマ・テンプレートとの相違を表す相違情報を生成する相違情報生成手段を含み、前記相違情報に基づいて新たなシェーマ・テンプレートを前記表示手段に表示させる、
ことを特徴とする請求項１又は請求項２に記載の眼科情報処理システム。
【請求項１２】
前記制御手段は、前記新たなシェーマ・テンプレートとして、前記第１のシェーマ・テンプレート又は前記第２のシェーマ・テンプレートと、前記相違情報に基づく画像との重畳画像を前記表示手段に表示させる、
ことを特徴とする請求項１１に記載の眼科情報処理システム。
【請求項１３】
前記制御手段は、前記第１のシェーマ・テンプレート又は前記第２のシェーマ・テンプレートと異なる表示態様で前記相違情報を表示させる、
ことを特徴とする請求項１２に記載の眼科情報処理システム。
【請求項１４】
前記相違情報生成手段は、前記相違情報として、前記第１のシェーマ・テンプレート中の画像と前記第２のシェーマ・テンプレート中の画像との差分画像を生成する、
ことを特徴とする請求項１０〜請求項１３のいずれか一項に記載の眼科情報処理システム。
【請求項１５】
前記相違情報生成手段は、前記第１のシェーマ・テンプレート中の画像を形成する各部分画像の形態と、前記第２のシェーマ・テンプレート中の画像を形成する各部分画像の形態とを比較することにより前記相違情報を生成する、
ことを特徴とする請求項１０〜請求項１３のいずれか一項に記載の眼科情報処理システム。
【請求項１６】
被検眼の部位の形態を表す眼科画像を記憶するコンピュータを制御するプログラムであって、
前記コンピュータに、
前記眼科画像に基づいて、前記部位の概略形態を表す画像を含むシェーマ・テンプレートを作成させ、
前記シェーマ・テンプレートを記憶させ、
操作手段により所定の操作がなされたときに、前記記憶された前記シェーマ・テンプレートを表示させ、
前記操作手段を用いて入力された情報を前記シェーマ・テンプレートに付加させる、
ことを特徴とするプログラム。
【発明の詳細な説明】
【技術分野】
【０００１】
この発明は、眼科画像の処理を行う眼科情報処理システム及び当該システムを制御するためのプログラムに関する。
【背景技術】
【０００２】
眼科分野における診療では、一般に、他の診療科と比較して画像を参照することが多い。そのため、眼科画像を処理するためのシステムが広く利用されている。特許文献１〜４には、このようなシステムの例が開示されている。
【０００３】
また、眼科分野では、眼科画像を参照して得られた所見を記入するためのシステムも広く利用されている。特許文献５には、このようなシステムの例が開示されている。
【０００４】
従来、眼科画像に基づく所見は、眼の部位の概略形態を表す下絵画像（シェーマ・テンプレート：ｓｃｈｅｍａ  ｔｅｍｐｌｅｔｅ）上に記入されていた。すなわち、前眼部や眼底や角膜など、眼の様々な部位について、各部位の概略形態を表すシェーマ・テンプレートが事前に用意されており、オペレータは、所望のシェーマ・テンプレートを選択して表示させて所見を入力していた。
【０００５】
【特許文献１】特開２００１−１４５６０４号公報
【特許文献２】特開２００２−５１９８３号公報
【特許文献３】特開２００５−２６１７９９号公報
【特許文献４】特開２００７−９７７４０号公報
【特許文献５】特開２００７−９４４７１号公報
【発明の開示】
【発明が解決しようとする課題】
【０００６】
しかしながら、シェーマ・テンプレートが表す形態と、実際の眼科画像とが大きく相違するケースが間々ある。たとえば、眼底のシェーマ・テンプレートは、一般に、視神経乳頭と、そこから延びる太い血管のみを描写した画像であるが、患者によっては、視神経乳頭のサイズや形状がシェーマ・テンプレートと大きく異なったり、太い血管の位置や長さがシェーマ・テンプレートと大きく異なったりすることがある。また、視神経乳頭から延びる太い血管のいずれかが無い患者も存在する。
【０００７】
このようにシェーマ・テンプレートと実際の眼科画像とが大きく相違すると、病変部等の注目部位の記入位置を決定するのが困難になる。この問題は、所見の記入作業の効率化を妨げる要因となっていた。
【０００８】
また、過去に記入された所見を閲覧する際に、記入された注目部位が画像中のどの位置に対応しているかを容易に判断できないことがある。この問題は、所見の閲覧作業の効率化を妨げる要因となっていた。
【０００９】
また、従来の眼科情報処理システムでは、多数のシェーマ・テンプレートのうちから所望のものを選択しなければならず、所見の記入作業を妨げる要因となっていた。
【００１０】
この発明は、以上のような問題を解決するためになされたものであり、所見の記入作業や閲覧作業の効率化を図ることが可能な眼科情報処理システム及びプログラムを提供することを目的とする。
【課題を解決するための手段】
【００１１】
上記目的を達成するために、請求項１に記載の発明は、被検眼の部位の形態を表す眼科画像を記憶する記憶手段と、前記眼科画像に基づいて、前記部位の概略形態を表す画像を含むシェーマ・テンプレートを作成する作成手段と、前記シェーマ・テンプレートを前記記憶手段に記憶させる制御手段と、操作手段と、表示手段と、を備え、前記制御手段は、前記操作手段により所定の操作がなされたときに、前記記憶手段から前記シェーマ・テンプレートを読み出して前記表示手段に表示させ、前記操作手段を用いて入力された情報を前記シェーマ・テンプレートに付加する、ことを特徴とする眼科情報処理システムである。
【００１２】
また、請求項２に記載の発明は、請求項１に記載の眼科情報処理システムであって、前記制御手段は、前記眼科画像に対応する被検眼の識別情報に関連付けて前記シェーマ・テンプレートを前記記憶手段に記憶させ、前記所定の操作として被検眼の識別情報が指定されたときに、該識別情報に関連付けられたシェーマ・テンプレートを読み出して表示させる、ことを特徴とする。
【００１３】
また、請求項３に記載の発明は、請求項１又は請求項２に記載の眼科情報処理システムであって、前記制御手段は、前記シェーマ・テンプレートとともに眼科画像を前記表示手段に表示させ、前記操作手段により該眼科画像上に入力された情報を前記シェーマ・テンプレートに付加する、ことを特徴とする。
【００１４】
また、請求項４に記載の発明は、請求項３に記載の眼科情報処理システムであって、前記制御手段は、前記シェーマ・テンプレートと該眼科画像との位置合わせを行う位置合わせ手段を含み、前記位置合わせの結果に基づいて該眼科画像への情報の入力位置に対応する前記シェーマ・テンプレート中の位置を特定し、前記特定された位置に前記情報を付加する、ことを特徴とする。
【００１５】
また、請求項５に記載の発明は、請求項１又は請求項２に記載の眼科情報処理システムであって、前記作成手段は、被検眼の所定部位に対応する画像領域を前記眼科画像から抽出する抽出手段を含み、前記画像領域に基づいて前記シェーマ・テンプレートを作成する、ことを特徴とする。
【００１６】
また、請求項６に記載の発明は、請求項５に記載の眼科情報処理システムであって、前記眼科画像はカラー画像であり、前記作成手段は、前記カラー画像をモノクロの輝度画像に変換する変換手段を含み、前記抽出手段は、前記輝度画像の各画素の輝度値に基づく閾値処理を行って前記画像領域を抽出する、ことを特徴とする。
【００１７】
また、請求項７に記載の発明は、請求項５又は請求項６に記載の眼科情報処理システムであって、前記作成手段は、前記抽出手段により抽出された画像領域以外の領域の画像を消去する消去手段を含み、前記画像領域に基づいて前記シェーマ・テンプレートを作成する、ことを特徴とする。
【００１８】
また、請求項８に記載の発明は、請求項５〜請求項７のいずれか一項に記載の眼科情報処理システムであって、前記作成手段は、前記抽出手段により抽出された画像領域に基づいて線画像を描画する描画手段を含み、前記線画像を含む画像を前記シェーマ・テンプレートとする、ことを特徴とする。
【００１９】
また、請求項９に記載の発明は、請求項８に記載の眼科情報処理システムであって、前記眼科画像は眼底像であり、前記抽出手段は、所定の血管径以上の太さの眼底血管に対応する血管領域と、視神経乳頭に対応する乳頭領域とを前記眼底像から抽出し、前記描画手段は、前記血管領域の中心線に沿った線画像と、前記乳頭領域の外周に沿った線画像とを描画する、ことを特徴とする。
【００２０】
また、請求項１０に記載の発明は、請求項１又は請求項２に記載の眼科情報処理システムであって、前記記憶手段は、被検眼の同一部位の第１の眼科画像、及び、前記第１の眼科画像よりも後に取得された第２の眼科画像を記憶し、前記作成手段は、前記第１の眼科画像に基づいて第１のシェーマ・テンプレートを作成し、前記第２の眼科画像に基づいて第２のシェーマ・テンプレートを作成し、前記制御手段は、前記第１のシェーマ・テンプレートと前記第２のシェーマ・テンプレートとの相違を表す相違情報を生成する相違情報生成手段を含み、前記相違情報に基づいて前記第１のシェーマ・テンプレート及び前記第２のシェーマ・テンプレートのうちの一方を選択して前記表示手段に表示させる、ことを特徴とする。
【００２１】
また、請求項１１に記載の発明は、請求項１又は請求項２に記載の眼科情報処理システムであって、前記記憶手段は、被検眼の同一部位の第１の眼科画像及び第２の眼科画像を記憶し、前記作成手段は、前記第１の眼科画像に基づいて第１のシェーマ・テンプレートを作成し、前記第２の眼科画像に基づいて第２のシェーマ・テンプレートを作成し、前記制御手段は、前記第１のシェーマ・テンプレートと前記第２のシェーマ・テンプレートとの相違を表す相違情報を生成する相違情報生成手段を含み、前記相違情報に基づいて新たなシェーマ・テンプレートを前記表示手段に表示させる、ことを特徴とする。
【００２２】
また、請求項１２に記載の発明は、請求項１１に記載の眼科情報処理システムであって、前記制御手段は、前記新たなシェーマ・テンプレートとして、前記第１のシェーマ・テンプレート又は前記第２のシェーマ・テンプレートと、前記相違情報に基づく画像との重畳画像を前記表示手段に表示させる、ことを特徴とする。
【００２３】
また、請求項１３に記載の発明は、請求項１２に記載の眼科情報処理システムであって、前記制御手段は、前記第１のシェーマ・テンプレート又は前記第２のシェーマ・テンプレートと異なる表示態様で前記相違情報を表示させる、ことを特徴とする。
【００２４】
また、請求項１４に記載の発明は、請求項１０〜請求項１３のいずれか一項に記載の眼科情報処理システムであって、前記相違情報生成手段は、前記相違情報として、前記第１のシェーマ・テンプレート中の画像と前記第２のシェーマ・テンプレート中の画像との差分画像を生成する、ことを特徴とする。
【００２５】
また、請求項１５に記載の発明は、請求項１０〜請求項１３のいずれか一項に記載の眼科情報処理システムであって、前記相違情報生成手段は、前記第１のシェーマ・テンプレート中の画像を形成する各部分画像の形態と、前記第２のシェーマ・テンプレート中の画像を形成する各部分画像の形態とを比較することにより前記相違情報を生成する、ことを特徴とする。
【００２６】
また、請求項１６に記載の発明は、被検眼の部位の形態を表す眼科画像を記憶するコンピュータを制御するプログラムであって、前記コンピュータに、前記眼科画像に基づいて、前記部位の概略形態を表す画像を含むシェーマ・テンプレートを作成させ、前記シェーマ・テンプレートを記憶させ、操作手段により所定の操作がなされたときに、前記記憶された前記シェーマ・テンプレートを表示させ、前記操作手段を用いて入力された情報を前記シェーマ・テンプレートに付加させる、ことを特徴とするプログラム。
【発明の効果】
【００２７】
この発明によれば、眼科画像に基づいて、被検眼の部位の概略形態を表す画像を含むシェーマ・テンプレートを作成し、このシェーマ・テンプレートを記憶することができる。更に、この発明によれば、操作手段により所定の操作がなされたときに、記憶されたシェーマ・テンプレートを表示するとともに、操作手段を用いて入力された情報をシェーマ・テンプレートに付加することができる。
【００２８】
このような発明によれば、被検眼の画像からシェーマ・テンプレートを作成することができるので、病変部等の注目部位の記入位置を従来よりも容易に決定することができる。それにより、所見等の情報の記入作業の効率化を図ることが可能になる。
【００２９】
更に、この発明によれば、従来のように多数のシェーマ・テンプレートのうちから所望のものを選択する必要がないので、所見等の記入作業の効率化を図ることができる。
【００３０】
また、この発明によれば、過去にシェーマ・テンプレートに記入された情報を閲覧する際に、その記入位置が眼底画像中のどの位置に対応しているかを容易に判断することができる。それにより、所見等の情報の閲覧作業の効率化を図ることが可能になる。
【発明を実施するための最良の形態】
【００３１】
この発明に係る眼科情報処理システム及びプログラムの実施形態の一例について、図面を参照しながら詳細に説明する。
【００３２】
この実施形態に係る眼科情報処理システム及びプログラムは、実際の眼科画像に基づいてシェーマ・テンプレートを作成し、このシェーマ・テンプレートに所見情報などを好適に記入することを可能にするものである。
【００３３】
ここで、シェーマ・テンプレートとは、前述のように、眼の部位（眼底、前眼部、角膜等）の概略形態を表す画像である。また、所見情報とは、眼科画像や検査結果や問診結果等を基に得られる、患者の病態などの所見を表す情報である。所見情報は、コメント等の文字列情報であってもよいし、イラスト等の画像情報であってもよい。シェーマ・テンプレートには、所見情報のほかにも任意の情報を適宜に記入することができる。
【００３４】
〈第１の実施形態〉
［システム構成］
図１は、この実施形態に係る眼科情報処理システムの機能的構成の例を表している。この眼科情報処理システム１は、医師等が使用するコンピュータを含んで構成される。このコンピュータは、たとえば、院内ＬＡＮ（Ｌｏｃａｌ  Ａｒｅａ  Ｎｅｔｗｏｒｋ）等の通信回線を介して、眼科画像やカルテ情報を保管し管理するデータベースに接続されている。カルテ情報とは、電子カルテとして利用される情報である。なお、眼科情報処理システム１は、コンピュータ単体により構成されてもよいし、データベース等の記憶装置を含んで構成されてもよい。
【００３５】
また、眼科情報処理システム１は、通信回線を介して、眼科分野の撮影装置や検査装置に接続されていてもよい。
【００３６】
撮影装置は、眼科画像を取得するために使用される。撮影装置の例としては、眼底カメラ、スリットランプ（細隙灯顕微鏡）、眼科手術用顕微鏡装置、ＯＣＴ（Ｏｐｔｉｃａｌ  Ｃｏｈｅｒｅｎｃｅ  Ｔｏｍｏｇｒａｐｈｙ）装置、ＳＬＯ（Ｓｃａｎｎｉｎｇ  Ｌａｓｅｒ  Ｏｐｈｔｈａｌｍｏｓｃｏｐｅ）などがある。
【００３７】
また、検査装置としては、たとえば、視力検査装置、オートレフラクトメータ、オートケラトメータ、眼圧計、視野計、眼軸長計測装置などがある。
【００３８】
眼科情報処理システム１には、図１に示すように、制御部１１、記憶部１２、操作部１３、表示部１４及びテンプレート作成部１５が設けられている。
【００３９】
〔記憶部〕
まず、記憶部１２について説明する。記憶部１２には、眼科情報処理システム１により処理される各種の情報が記憶される。特に、記憶部１２には、眼科画像Ｇ、シェーマ・テンプレートＴ及び被検眼識別情報Ｅが記憶される。
【００４０】
眼科画像Ｇは、上記の撮影装置により事前に取得された被検眼の画像である。眼科画像Ｇの例としては、眼底カメラにより撮影された眼底像（カラー眼底像や蛍光眼底像等）、スリットランプにより撮影された前眼部像や角膜像、ＯＣＴ装置により取得された眼底や角膜の断層画像や３次元画像、ＳＬＯ装置により取得された硝子体や網膜や脈絡膜の画像などがある。
【００４１】
眼科画像Ｇには、それが表す被検眼の部位（撮影部位）や、撮影日時や、撮影条件などの付帯情報が付加されている。撮影部位には、左眼／右眼の別や、眼の部位（眼底、角膜、前眼部等）などの情報が含まれる。また、撮影条件には、撮影画角（撮影倍率）や照明光の明るさなどの情報が含まれる。
【００４２】
シェーマ・テンプレートＴは、テンプレート作成部１５により作成されて、制御部１１により記憶部１２に記憶される。
【００４３】
被検眼識別情報Ｅは、各被検眼を識別するための情報である。被検眼識別情報Ｅは、たとえば、患者ＩＤ等の患者識別情報と、左眼又は右眼を表す情報とを組み合わせたものである。患者識別情報は、たとえば、当該医療機関において設定された各患者に固有の文字列情報からなる。また、左眼又は右眼を表す情報は、たとえば、左眼を表す文字「Ｌ」と、右眼を表す文字「Ｒ」により形成されている。これらの情報は、従来の眼科情報処理システムにおいて使用されていたものと同様である。なお、左眼／右眼を表す情報は、上記の付帯情報に含まれる情報であってもよい。
【００４４】
眼科画像Ｇやシェーマ・テンプレートＴには、それぞれ、被検眼識別情報Ｅが関連付けられている。それにより、眼科画像Ｇが、どの患者のどちらの眼を表す画像であるかを識別することが可能になる。また、シェーマ・テンプレートＴについても、それがどの患者のどちらの眼に対応するシェーマ・テンプレートであるかを識別することが可能になる。これらの関連付け処理は、制御部１１により実行される（後述）。
【００４５】
記憶部１２には、上記の情報の他にカルテ情報等も記憶されている。カルテ情報は、各患者識別情報に関連付けられている。
【００４６】
〔制御部〕
制御部１１は、眼科情報処理システム１の各部を制御する。たとえば、制御部１１は、表示部１４に各種の画面やデータを表示させる。また、制御部１１は、操作部１３が操作されたときに、その操作内容に応じた処理を眼科情報処理システム１に実行させる。
【００４７】
また、制御部１１は、眼科画像や所見情報等の眼科情報を処理する。制御部１１が実行する処理の内容については後述する。制御部１１は、この発明の「制御手段」の一例である。
【００４８】
ここで、眼科情報とは、眼科分野の診療や治療において参照される情報である。所見情報には、シェーマ図等の画像情報、コメント等の文字列情報（文字所見）、定型的な図形情報やコメント情報などがある。この定型的な情報は、たとえばテキストボックスや入力パレットなど、定型的なオブジェクトを選択可能に呈示する機能を用いて入力される。また、シェーマ図は、一般的には、シェーマ・テンプレート上に病変部や治療部位を示す領域を書き込んだり、病名やコメント等を記入したりすることにより作成される。
【００４９】
制御部１１には、主制御部１１１とシェーマ入力部１１２が設けられている。シェーマ入力部１１２は、位置合わせ部１１３を含んで構成されている。
【００５０】
（主制御部）
主制御部１１１は、表示部１４による表示処理の制御を行う。特に、主制御部１１１は、各種の眼科情報を表示部１４に表示させる。眼科情報の表示態様については後述する。
【００５１】
また、主制御部１１１は、各種の画面を表示部１４に表示させる。表示される画面としては、たとえば、シェーマ・テンプレート等に所見情報を入力するための画面、画像や所見情報を表示するための画面、表示対象の画像や所見情報を選択するための画面などがある。
【００５２】
また、主制御部１１１は、記憶部１２からのデータの読み出し処理や、記憶部１２に対するデータの書き込み処理を行う。
【００５３】
特に、主制御部１１１は、テンプレート作成部１５により作成されたシェーマ・テンプレートに対して被検眼識別情報を関連付け、これらの情報を記憶部１２に記憶させる。
【００５４】
また、主制御部１１１は、院内ＬＡＮ等の通信回線を介してデータ通信を行うＬＡＮカード等の通信インターフェイスを備えていてもよい。この場合、記憶部１２は、前述のデータベースを含んでいてもよい。
【００５５】
（シェーマ入力部）
シェーマ入力部１１２は、シェーマ・テンプレートに情報を入力するときに動作する。オペレータは、操作部１３を操作して所望の情報を入力する。シェーマ入力部１１２は、入力された情報をシェーマ・テンプレートに付加する。
【００５６】
この処理は、シェーマ・テンプレートと入力情報とを一つの情報（画像データ）に合成する処理であってもよいし、又は、シェーマ・テンプレートと入力情報とを一つに合成せずに、双方の情報を互いに対応付ける処理であってもよい。
【００５７】
後者の処理の例としては、シェーマ・テンプレート中における情報の入力位置（座標値）を用いてシェーマ・テンプレートと各入力情報とを対応付ける方法などがある。
【００５８】
（位置合わせ部）
シェーマ・テンプレートに対する情報の入力作業は、眼科画像を参照しながら行うのが一般的である。この作業は、少なくとも眼科画像を表示して行う。位置合わせ部１１３は、このシェーマ・テンプレートとこの眼科画像との位置合わせを行う。
【００５９】
すなわち、位置合わせ部１１３は、シェーマ・テンプレート中の位置と、眼科画像中の位置との対応付けを行う。この処理は、たとえば、シェーマ・テンプレートに定義された座標系と、眼科画像に定義された座標系との間の座標変換式を求める処理を含む。位置合わせ部１１３が実行する処理の具体例については後述する。位置合わせ部１１３は、この発明の「位置合わせ手段」の一例である。
【００６０】
〔操作部〕
操作部１３は、オペレータが眼科情報処理システム１を操作するときや、所見情報等の各種情報を入力するときに使用される。操作部１３は、オペレータによる操作を受けると、その操作内容に応じた信号（操作信号）を生成して主制御部１１１に入力する。主制御部１１１は、この信号に基づいて眼科情報処理システム１を制御する。
【００６１】
操作部１３は、キーボード、マウス、トラックボール、ジョイスティック、コントロールパネルなど、任意の操作デバイスや入力デバイスを含んで構成される。操作部１３は、この発明の「操作手段」の一例である。
【００６２】
〔表示部〕
表示部１４は、主制御部１１１の制御にしたがって各種の画面やデータを表示する。表示部１４は、ＬＣＤ（Ｌｉｑｕｉｄ  Ｃｒｙｓｔａｌ  Ｄｉｓｐｌａｙ）や、ＣＲＴ（Ｃａｔｈｏｄｅ  Ｒａｙ  Ｔｕｂｅ）ディスプレイなど、任意の表示デバイスから構成される。表示部１４は、この発明の「表示手段」の一例である。
【００６３】
なお、図１では、操作部１３と表示部１４とをそれぞれ別個に記載しているが、たとえばペン・タブレットやタッチパネル方式のＬＣＤのように、操作手段と表示手段とを一体化したデバイスを用いることも可能である。
【００６４】
〔テンプレート作成部〕
テンプレート作成部１５は、被検眼の部位を表す眼科画像に基づいて、当該被検眼の当該部位に対応するシェーマ・テンプレートを作成する。このシェーマ・テンプレートは、当該被検眼の当該部位の概略形態を表す画像を含むものである（後述）。テンプレート作成部１５は、この発明の「作成手段」の一例である。
【００６５】
テンプレート作成部１５には、変換処理部１５１、抽出処理部１５２、消去処理部１５３及び描画処理部１５４が設けられている。以下、これら各部１５１〜１５４について説明する。
【００６６】
（変換処理部）
変換処理部１５１は、たとえば眼科画像がカラー画像である場合に動作し、このカラー画像を輝度画像に変換する。変換処理部１５１は、この発明の「変換手段」の一例である。
【００６７】
ここで、カラー画像とは、その画素の画素値に色を表す成分が含まれている画像を意味する。カラー画像の例としては、Ｒ（赤）成分、Ｇ（緑）成分、Ｂ（青）成分を含む画素により形成される画像がある。カラー眼底像は、カラー画像の一例である。
【００６８】
また、輝度画像は、その画素の画素値に色を表す成分が含まれず、輝度を表す情報（輝度値）のみが含まれているモノクロ画像である（透明度などの情報は含まれていてもよい）。ＯＣＴ装置により取得される画像は輝度画像の例である。また、赤外領域の光を用いて撮影された眼底像（モノクロ画像である）も輝度画像の例である。
【００６９】
変換処理部１５１は、被検眼のカラー画像の各画素に対して公知の変換処理を施して、その画素値（色成分を含む）を輝度値に変換することにより、このカラー画像を輝度画像に変換する。
【００７０】
輝度画像は、一般に、輝度値の階調画像である。階調の個数は２以上である。たとえば、変換処理部１５１は、カラー画像の各画素の画素値を二値化することにより、二値の輝度画像を生成することができる。別の例として、変換処理部１５１は、カラー画像の各画素の画素値を２５６階調の輝度値に変換することにより、２５６階調の輝度画像を生成する。これらの処理は、任意の公知手法により実行できる。
【００７１】
なお、眼科分野においては、疑似カラー画像が用いられる場合がある。疑似カラー画像とは、被検眼の実際の色とは異なる色を付した画像である。疑似カラー画像としては、たとえば、網膜の複数の層を色分け表示した網膜の断層画像や、各種物理量（網膜厚、血流速度等）の大きさを色分け表示することにより当該物理量の分布を表す画像などがある。このような疑似カラー画像については、元の眼科画像に基づいて輝度画像が生成される。
【００７２】
また、変換処理部１５１は、輝度画像を別の輝度画像に変換することも可能である。たとえば、変換処理部１５１は、２５６階調の輝度画像に対して二値化処理を施すことにより、２値の輝度画像を生成することができる。この二値化処理は、たとえば判別分析法（ｄｉｓｃｒｉｍｉｎａｎｔ  ａｎａｌｙｓｉｓ  ｍｅｔｈｏｄ）等の任意の公知手法によって実行される。
【００７３】
なお、シェーマ・テンプレートの元になる眼科画像が特定の階調の輝度画像である場合や、抽出処理部１５２がカラー画像から所定の画像領域を抽出する場合などには、変換処理部１５１は動作する必要はない。
【００７４】
（抽出処理部）
抽出処理部１５２は、被検眼の所定部位に対応する画像領域を眼科画像から抽出する。抽出処理部１５２は、この発明の「抽出手段」の一例である。
【００７５】
抽出処理部１５２の動作の具体例を説明する。この例では、眼科画像は輝度画像であるとする。まず、抽出処理部１５２は、輝度画像の各画素の輝度値に対して閾値処理を行い、所定範囲内の輝度値を有する画素と、所定範囲外の輝度値を有する画素とに分類する。
【００７６】
なお、この処理における閾値は、予め設定されてもよいし、輝度画像に基づいて抽出処理部１５２が設定してもよい。
【００７７】
前者の場合、たとえば、多数の臨床データ（眼科画像）を統計的に処理して、被検眼の所定部位に対応する画像領域の輝度値の統計値（平均値や標準偏差など）を求めることにより閾値を設定することができる。なお、輝度画像が二値画像である場合には、２つの輝度値のどちらを有するかによって各画素を分類することができる。
【００７８】
一方、後者の場合には、たとえば、輝度画像における画素値の分布（輝度値のヒストグラムなど）を作成し、この分布に基づいて閾値を設定することが可能である。
【００７９】
次に、抽出処理部１５２は、輝度画像の全ての画素のうちから、所定範囲内の輝度値を有する画素を選択する。それにより、被検眼の所定部位に対応する画像領域が輝度画像から抽出される。
【００８０】
画像領域の抽出対象となる被検眼の部位としては、たとえば、眼底の視神経乳頭や黄斑部、眼底血管等の血管、角膜、網膜の層などがある。
【００８１】
所定部位が血管である場合には、所定の血管径以上の太さの血管についてのみ、対応する画像領域を抽出するようにしてもよい。このとき、１本の血管に対応する画像領域のうち所定の血管径以上の太さの部分のみを抽出するようにしてもよいし、所定の血管径以上の太さの部分を有する血管に対応する画像領域の全体を抽出するようにしてもよい。これらの場合、たとえば、血管の径方向に並ぶ画素の個数をカウントし、その個数に基づいて血管の太さを求めることができる。
【００８２】
また、血管を抽出する場合に各血管の走行方向や分岐の情報が必要になる場合がある。これらの情報は、たとえば、血管壁（画像領域の境界部分）の向き（微分係数等）などを求めることにより特定することが可能である。
【００８３】
なお、抽出処理部１５２は、カラー画像から、被検眼の所定部位に対応する画像領域を抽出するように構成されていてもよい。この場合、たとえば、多数の臨床データを参照するなどして当該所定部位に対応する画像領域の画素の色成分の統計値（閾値）を事前に取得し、この統計値と当該カラー画像の各画素の色成分とを比較することにより、当該カラー画像から所望の画像領域を抽出することができる。
【００８４】
（消去処理部）
消去処理部１５３は、抽出処理部１５２により輝度画像（又はカラー画像）から抽出された画像領域以外の領域の画像を消去する。この処理は、たとえば、消去対象の領域中の各画素の輝度値を、当該輝度画像の背景の輝度値に変更することにより行う。消去処理部１５３は、この発明の「消去手段」の一例である。
【００８５】
（描画処理部）
描画処理部１５４は、抽出処理部１５２により輝度画像（又はカラー画像）から抽出された画像領域に基づいて線画像を描画する。描画される線画像の太さは任意である。描画処理部１５４は、この発明の「描画手段」の一例である。
【００８６】
線画像は、抽出された画像領域の形態を表す画像である。線画像の具体例を説明する。被検眼の特徴的な部位に対応する画像領域が抽出された場合、描画処理部１５４は、当該画像領域の外周に沿って線画像を描画する。
【００８７】
たとえば眼底の視神経乳頭に対応する画像領域が抽出された場合、描画処理部１５４は、当該画像領域の外周、すなわち視神経乳頭の外縁に対応する画像領域に略楕円形の線画像を描画する。
【００８８】
また、前眼部の断層像から角膜の断層像が抽出された場合、描画処理部１５４は、角膜の前面（角膜上皮の外壁）に対応する弧状の画像領域にそって線画像を描画するとともに、角膜の後面（角膜内皮の内壁）に対応する弧状の画像領域に沿って線画像を描画する。
【００８９】
また、眼底血管等の血管に対応する画像領域が抽出された場合、描画処理部１５４は、血管壁に対応する画像領域に沿って線画像を描画することができる。
【００９０】
なお、血管に対応する画像領域が抽出された場合には、血管の中心線に対応する画像領域に沿って線画像を描画するように構成することも可能である。この処理は、たとえば次のようにして実行できる：（１）血管に対応する画像領域を解析して血管の走行方向を特定する；（２）血管の走行方向の各位置おいて、走行方向に直交する方向に位置する２つの血管壁の中心位置を特定する；（３）隣接する中心位置を接続して血管の中心線に対応する画像領域（血管中心領域）を求める；（４）血管中心領域に沿って線画像を描画する。なお、血管中心領域に沿った線画像は、細線化処理等の任意の公知技術を用いて描画することが可能である。
【００９１】
描画処理部１５４は、線画像以外の画像を描画してもよい。たとえば、画像領域を塗り潰すように描画を施したり、画像領域にハッチングを掛けるように描画を施したりすることが可能である。
【００９２】
また、描画処理部１５４は、線画像が描画対象となる画像領域、すなわち抽出処理部１５２により抽出された画像領域の一部又は全部を消去することができる。この処理は、消去処理部１５３と同様にして行うことが可能である。
【００９３】
また、抽出処理部１５２により抽出された画像領域をそのままシェーマ・テンプレートとして用いる場合には、描画処理部１５４は上記のような処理を行う必要はない。
【００９４】
［ハードウェア構成］
眼科情報処理システム１のハードウェア構成について説明する。図２は、眼科情報処理システム１のハードウェア構成の一例を表している。眼科情報処理システム１は、コンピュータ１００を含んで構成されている。コンピュータ１００は、各種の眼科情報の閲覧作業や編集作業などに用いられる。
【００９５】
コンピュータ１００は、院内ＬＡＮ等の通信回線Ｎを介してデータベース２００に接続されている。データベース２００は、各種の眼科情報を保管し管理するサーバ等を含んで構成される。データベース２００が保管する情報としては、眼科画像やカルテ情報などがある。
【００９６】
オペレータは、眼科情報の閲覧や編集の要求をコンピュータ１００に入力する。この要求は、たとえば、患者ＩＤ等の患者識別情報を入力又は選択し、所定のソフトキー（眼科情報の検索を指示するソフトキー）をクリックすることなどにより行う。コンピュータ１００は、入力された要求をデータベース２００に送信する。データベース２００は、この要求に基づいて眼科情報を検索し、その検索結果をコンピュータ１００に送信する。コンピュータ１００は、この検索結果、すなわち眼科情報を表示する。
【００９７】
次に、コンピュータ１００及びデータベース２００の構成例を説明する。コンピュータ１００は、たとえば、図１の制御部１１、記憶部１２、操作部１３、表示部１４及びテンプレート作成部１５として機能する。記憶部１２は、データベース２００を含んでいてもよい。
【００９８】
コンピュータ１００は、一般的なコンピュータと同様に、ＣＰＵ等のマイクロプロセッサ１０１、主記憶装置として機能するＲＡＭ１０２、外部記憶装置として機能するＲＯＭ１０３、同じく外部記憶装置として機能するハードディスクドライブ（ＨＤＤ）１０４を含む。
【００９９】
更に、コンピュータ１００は、ペン・タブレット１０５、ディスプレイ１０６、キーボード１０７、マウス１０８及び通信インターフェイス（Ｉ／Ｆ）１０９を含んで構成されている。
【０１００】
これら各部１０１〜１０９は、バス１１０を介して接続されている。なお、コンピュータ１００には、プリンタやドライブ装置等の外部機器が接続されていてもよい。
【０１０１】
マイクロプロセッサ１０１は、ハードディスクドライブ１０４に格納されたプログラム１０４ａをＲＡＭ１０２上に展開することにより、この実施形態に特有の動作をコンピュータ１００に実行させる。
【０１０２】
また、マイクロプロセッサ１０１は、コンピュータ１００の各部の制御や各種の演算処理を実行する。制御部１１は、マイクロプロセッサ１０１を含んで構成される。
【０１０３】
ペン・タブレット１０５、ディスプレイ１０６、キーボード１０７、マウス１０８は、コンピュータ１００のユーザインターフェイスとして使用される。ペン・タブレット１０５は、たとえばＵＳＢ（Ｕｎｉｖｅｒｓａｌ  Ｓｅｒｉａｌ  Ｂｕｓ）規格に準拠したユーザインターフェイスである。ペン・タブレット１０５は、操作部１３及び表示部１４として機能する。ディスプレイ１０６は、表示部１４として機能する。
【０１０４】
キーボード１０７は、文字や数字等をタイピング入力するためのデバイスである。マウス１０８は、ディスプレイ１０６に表示されるポインタを移動させて表示画面上のオブジェクトを選択したり、各種動作を実行させたりするためのポインティングデバイスである。キーボード１０７やマウス１０８は、操作部１３として機能する。
【０１０５】
通信インターフェイス１０９は、マイクロプロセッサ１０１の制御に基づいて、通信回線Ｎを介したデータ通信を行う。通信インターフェイス１０９は、通信回線Ｎに準拠したＬＡＮカード等のネットワークアダプタを含んで構成される。通信インターフェイス１０９は、たとえば制御部１１に含まれる。
【０１０６】
データベース２００は、たとえばコンピュータ１００と同様のハードウェア構成を有する。データベース２００は、大量の眼科画像やカルテ情報等のデータを保管するために、大容量の記憶装置を備えていることが望ましい。データベース２００としては、たとえば汎用のファイルサーバを用いることができる。
【０１０７】
データベース２００は、前述の撮影装置や検査装置等の各種眼科装置に通信回線Ｎを介して接続されている。撮影装置や検査装置により取得されたデータは、通信回線Ｎを介してデータベース２００に送信されて保管される。また、データベース２００は、自身が保管しているデータを眼科装置に提供する。
【０１０８】
［動作態様］
眼科情報処理システム１の動作態様について説明する。図３及び図４に示すフローチャートは、眼科情報処理システム１の動作の一例を表している。図３のフローチャートは、シェーマ・テンプレートを作成する処理の一例を表す。図４のフローチャートは、シェーマ・テンプレートに情報を入力する処理の一例を表す。
【０１０９】
まず、オペレータは、操作部１３を操作して眼科画像を指定する（Ｓ１）。この操作は、たとえば、眼科画像のリスト（サムネイルを列挙したものでもよい）のうちから所望の画像を選択してクリックすることで行う。なお、この段階では、指定された眼科画像に基づくシェーマ・テンプレートは、未だ記憶部１２に記憶されていない。この動作例では、被検眼のカラー眼底像が指定されたものとする（図５を参照）。
【０１１０】
主制御部１１１は、指定された眼科画像Ｇを記憶部１２から読み出して表示部１４に表示させる（Ｓ２）。オペレータは、表示された眼科画像Ｇを観察し、シェーマ・テンプレートを作成するための画像として適当であるか判断する。適当でない場合には、他の眼科画像を新たに指定すればよい。なお、適否の判断が不要な場合には、眼科画像Ｇを表示させる必要はない。
【０１１１】
主制御部１１１は、たとえば操作部１３により所定の操作がなされたことに対応し、テンプレート作成部１５の動作を開始させる。テンプレート作成部１５は、まず、変換処理部１５１により眼科画像Ｇを輝度画像に変換する（Ｓ３）。
【０１１２】
次に、抽出処理部１５２は、この輝度画像（眼底の階調画像である）から、視神経乳頭に対応する画像領域（乳頭領域）と、所定の血管径以上の太さの眼底血管に対応する画像領域（血管領域）とを抽出する（Ｓ４）。
【０１１３】
ここで、乳頭領域は、たとえば、輝度画像において、所定の閾値以上の輝度値を有する画像領域であって、最も範囲が大きな画像領域を選択することにより抽出できる。また、血管領域については、前述のように血管の走行方向や分岐の情報を取得し、各血管の太さを求めることにより抽出することが可能である。
【０１１４】
続いて、消去処理部１５３は、抽出された画像領域（乳頭領域及び血管領域）以外の領域の画像を消去する（Ｓ５）。
【０１１５】
図６に示す画像Ｇ′は、この処理が施された輝度画像の概略形態を表している。画像Ｇ′は、眼科画像Ｇ（カラー眼底像）の輝度画像から、乳頭領域Ｐ及び血管領域Ｐ１、Ｐ２、Ｐ３以外の領域の画像を消去して得られた画像である。すなわち、画像Ｇ′は、ステップ４において乳頭領域Ｐ及び血管領域Ｐ１、Ｐ２、Ｐ３が抽出された場合に得られる画像である。
【０１１６】
次に、描画処理部１５４は、消去処理部１５３により消去されなかった画像領域、つまり、抽出処理部１５２により抽出された画像領域に基づいて線画像を描画する（Ｓ６）。
【０１１７】
図７に示す画像Ｇ″は、画像Ｇ′の乳頭領域Ｐ及び血管領域Ｐ１〜Ｐ３に基づいて線画像を描画して得られる画像である。画像″の線画像Ｌ１は、乳頭領域Ｐの外周に沿って描画された線画像である。ここで、乳頭領域Ｐの内部領域の画像、つまり乳頭領域Ｐの外周以外の領域の画像は、描画処理部１５４により消去されるものとする。また、線画像Ｌ２、Ｌ３、Ｌ４は、それぞれ、血管領域Ｐ１、Ｐ２、Ｐ３の中心線に沿って描画された線画像である。各血管領域Ｐ１〜Ｐ３の画像は、描画処理部１５４により消去されるものとする。各線画像Ｌ１〜Ｌ４の太さは任意である。
【０１１８】
続いて、テンプレート作成部１５は、描画された線画像に基づいてシェーマ・テンプレートＴを作成する（Ｓ７）。
【０１１９】
図８に示すシェーマ・テンプレートＴは、図７の画像Ｇ″の線画像Ｌ１〜Ｌ４に基づいて作成されたシェーマ・テンプレートの例を表している。シェーマ・テンプレートＴは、たとえば、線画像Ｌ１〜Ｌ４を（それぞれの相対位置を固定した状態で）を、矩形かつ白色の背景に描画して得られた画像である。
【０１２０】
主制御部１１１は、作成されたシェーマ・テンプレートＴを、当該被検眼の被検眼識別情報Ｅに関連付けて記憶部１２に記憶させる（Ｓ８）。
【０１２１】
また、シェーマ・テンプレートＴには、その元になった眼科画像Ｇが表す被検眼の部位や撮影条件などの情報が付帯される。撮影部位には、左眼／右眼の別や、眼の部位（眼底、角膜、前眼部等）などの情報が含まれる。また、撮影条件には、撮影画角（撮影倍率）などの情報が含まれる。これらの付帯情報は、眼科画像Ｇの付帯情報から取得される。以上で、図３に示す処理は終了となる。
【０１２２】
次に、図４を参照して、シェーマ・テンプレートＴに情報を入力する処理について説明する。この処理は、シェーマ・テンプレートＴの作成処理の直後に実施してもよいし、作成処理から日時が経過した後に実施してもよい。以下、記憶部１２には、複数の眼科画像やシェーマ・テンプレートが記憶されているものとする。各眼科画像及び各シェーマ・テンプレートは、それぞれ被検眼識別情報に関連付けられている。
【０１２３】
まず、オペレータは、操作部１３を操作して被検眼識別情報を指定する（Ｓ１１）。この操作は、たとえば、患者ＩＤを指定（入力又は選択）し、更に左眼又は右眼を指定することにより行う。
【０１２４】
ステップ１１の処理は、たとえば次のようにして行う。患者ＩＤが指定されると、主制御部１１１は、当該患者ＩＤに関連付けられたカルテ情報等を読み出し、眼科画像のリストを表示させる。このとき、眼科画像のサムネイルを生成して並べて表示させてもよい。次に、オペレータは、閲覧対象の眼（左眼／右眼）を指定する。この指定処理は、たとえば、左眼又は右眼を選択するためのソフトウェアキーにより行うことができる。
【０１２５】
主制御部１１１は、ステップ１１で被検眼識別情報に関連付けられた眼科画像のサムネイルを並べて表示部１４に表示させる（Ｓ１２）。
【０１２６】
オペレータは、操作部１３を操作して所望のサムネイルを指定する（Ｓ１３）。この操作は、たとえば所望のサムネイルを（ダブル）クリックすることで行う。
【０１２７】
主制御部１１１は、指定されたサムネイルに対応する眼科画像を記憶部１２から読み出す（Ｓ１４）。なお、この眼科画像は、シェーマ・テンプレートの作成処理に供された眼科画像である必要はない。たとえば、この眼科画像は、シェーマ・テンプレートの作成後に取得されたものであってもよい。
【０１２８】
更に、主制御部１１１は、ステップ１４で読み出された眼科画像に関連付けられた被検眼識別情報や、当該眼科画像の付帯情報に基づいて、当該眼科画像の撮影部位を特定する。そして、主制御部１１１は、特定された撮影部位に対応する当該被検眼のシェーマ・テンプレートを記憶部１２から検索する（Ｓ１５）。
【０１２９】
シェーマ・テンプレートが検索されなかった場合（Ｓ１６：Ｎｏ）、テンプレート作成部１５は、当該眼科画像に基づいてシェーマ・テンプレートを作成する（Ｓ１７）。この処理は、上記のステップ３〜ステップ７と同様に実行される。
【０１３０】
一方、シェーマ・テンプレートが検索された場合（Ｓ１６：Ｙｅｓ）、主制御部１１１は、検索されたシェーマ・テンプレートを記憶部１２から読み出す（Ｓ１８）。
【０１３１】
位置合わせ部１１３は、ステップ１４で読み出された眼科画像と、ステップ１８で読み出されたシェーマ・テンプレートとの位置合わせを行う（Ｓ１９）。
【０１３２】
ステップ１９の処理は、たとえば、双方の付帯情報の撮影画角に基づく画像サイズの拡大／縮小を含んでいてもよい。
【０１３３】
また、ステップ１９の処理は、画像の平行移動や回転移動等の座標変換を含んでいてもよい。この処理は、たとえば、シェーマ・テンプレート中の特徴領域（乳頭領域や血管領域等）に相当する眼科画像中の画像領域を特定し、対応する領域の座標値を一致させる（又は、一方の座標値を他方の座標値に変換する）ような座標変換式を求めることにより行うことができる。
【０１３４】
なお、シェーマ・テンプレートが検索されなかった場合（Ｓ１６：Ｎｏ）には、当該眼科画像からシェーマ・テンプレートを作成するので、双方の画像が定義される座標系は同じであり、特に位置合わせ処理を行う必要はない。
【０１３５】
次に、主制御部１１１は、眼科画像とシェーマ・テンプレートを表示部１４に表示させる（Ｓ２０）。
【０１３６】
このとき、眼科画像とシェーマ・テンプレートとを重畳表示させてもよいし、それぞれ別々に表示させてもよい。前者の場合、主制御部１１１は、たとえば、ステップ１９の位置合わせ処理の結果に基づいて、眼科画像とシェーマ・テンプレートとの重ね合わせ位置を求めて、一方の画像に他方の画像を重ねて表示させる。重畳表示においては、上側になる画像（レイヤ）の各画素に透明度を設定するなどして、下側の画像が透けて見えるようにすることが望ましい。
【０１３７】
オペレータは、表示された眼科画像を観察し、操作部１３を操作して所見情報を入力する（Ｓ２１）。
【０１３８】
所見情報は、従来と同様にシェーマ・テンプレートに記入することもできるし、眼科画像上に入力することもできる。後者の場合、シェーマ入力部１１２は、ステップ１９の位置合わせ処理の結果に基づいて、眼科画像への情報の入力位置に対応するシェーマ・テンプレート中の位置を特定し、この特定された位置に当該情報を付加する。それにより、眼科画像上に入力された情報を、その入力位置に対応するシェーマ・テンプレート中の位置に当該情報を付加することができる。
【０１３９】
所見情報の入力作業が終了したら、オペレータは所定の操作を行う。この操作は、たとえば、所定のソフトウェアキーをクリックすることで行う。この操作がなされると、主制御部１１１は、シェーマ・テンプレートと、入力された情報とを対応付けて記憶部１２に記憶させる（Ｓ２２）。
【０１４０】
このとき、入力された情報とシェーマ・テンプレートとを合成した画像を作成して記憶させてもよいし、シェーマ・テンプレートと入力情報（入力内容と入力位置）とを対応付けて別々に記憶させてもよい。以上で、この動作態様の説明は終了となる。
【０１４１】
［作用・効果］
眼科情報処理システム１の作用及び効果について説明する。
【０１４２】
眼科情報処理システム１は、眼科画像に基づいてシェーマ・テンプレートを作成し、このシェーマ・テンプレートを記憶部１２に記憶するように作用する。また、眼科情報処理システム１は、オペレータが操作部１３により所定の操作（被検眼識別情報の指定操作）を行ったときに、記憶部１２からシェーマ・テンプレートを読み出して表示部１４に表示させる。更に、眼科情報処理システム１は、オペレータが操作部１３を用いて所見情報等の情報を入力すると、この情報をシェーマ・テンプレートに付加するように作用する。
【０１４３】
このような眼科情報処理システム１によれば、当該被検眼の画像からシェーマ・テンプレートを作成することができるので、病変部等の注目部位の記入位置を従来よりも容易に決定することができる。それにより、所見等の情報の記入作業の効率化を図ることが可能になる。
【０１４４】
更に、眼科情報処理システム１によれば、従来のシステムのように多数のシェーマ・テンプレートのうちから所望のものを選択する必要がないので、所見等の記入作業の効率化を図ることができる。
【０１４５】
また、眼科情報処理システム１によれば、過去にシェーマ・テンプレートに記入された情報を閲覧する際に、その記入位置が眼底画像中のどの位置に対応しているかを容易に判断することができる。それにより、所見等の情報の閲覧作業の効率化を図ることが可能になる。
【０１４６】
また、眼科情報処理システム１は、シェーマ・テンプレートを表示するときに、眼科画像も表示するようになっている。シェーマ・テンプレートと眼科画像は、一方に他方を重ねて表示させてもよいし、これらを並べて表示させてもよい。なお、この眼科画像は、前述のように、シェーマ・テンプレートの元になった眼科画像である必要はない。
【０１４７】
オペレータは、眼科画像上に所見等の情報を入力することができる。眼科情報処理システム１は、眼科画像上に入力された情報をシェーマ・テンプレートに付加するように作用する。
【０１４８】
なお、従来はシェーマ・テンプレートと眼科画像とを並べて表示させ、オペレータは、眼科画像を観察して得られた情報をシェーマ・テンプレートに記入していた。眼科情報処理システム１によれば、このような従来の手法と比べて容易かつ正確に所見等の情報を入力することができる。なお、前述のように、眼科情報処理システム１においても、従来と同様にシェーマ・テンプレート上に情報を記入することが可能である。
【０１４９】
〈第２の実施形態〉
この発明に係る眼科情報処理システムの第２の実施形態について説明する。この実施形態は、被検眼の同一部位について複数の眼科画像が得られたときのシェーマ・テンプレートの表示態様に関するものである。
【０１５０】
［システム構成］
この実施形態に係る眼科情報処理システムは、第１の実施形態とほぼ同様の構成を有する。以下、第１の実施形態と同様の構成部分については同じ符号で表すものとし、その詳細な説明については省略することにする。
【０１５１】
この実施形態に係る眼科情報処理システムの構成例を図９に示す。眼科情報処理システム１０は、第１の実施形態と同様に、制御部１１、記憶部１２、操作部１３、表示部１４及びテンプレート作成部１５を含んで構成される。
【０１５２】
記憶部１２には、同一被検眼の同一部位を表す複数の眼科画像が記憶されている。図９では、２つの眼科画像Ｇ１、Ｇ２が記憶されている。眼科画像Ｇ１、Ｇ２は、別々のタイミング（日時）にて取得された画像である。たとえば、眼科画像Ｇ１は、Ｗ年Ｘ月Ｙ日に眼底カメラで撮影された眼底像であり、眼科画像Ｇ２は、Ｗ年Ｘ月Ｚ日に眼底カメラで撮影された眼底像である。なお、眼科画像Ｇ１、Ｇ２は、同じ撮影装置により取得されたものである必要はなく、双方が同一被検眼の同一部位を表す画像であれば十分である。
【０１５３】
テンプレート作成部１５は、眼科画像Ｇ１に基づいてシェーマ・テンプレートＴ１を作成する。また、テンプレート作成部１５は、眼科画像Ｇ２に基づいてシェーマ・テンプレートＴ２を作成する。制御部１１は、これらシェーマ・テンプレートＴ１、Ｔ２を記憶部１２に記憶させる。
【０１５４】
制御部１１には、第１の実施形態と同様の主制御部１１１及びシェーマ入力部１１２とともに、相違情報生成部１１４が設けられている。
【０１５５】
相違情報生成部１１４は、これらシェーマ・テンプレートＴ１、Ｔ２の相違を検出して相違情報を生成する。相違情報生成部１１４は、この発明の「相違情報生成手段」の一例である。以下、シェーマ・テンプレートの相違を検出する処理の例を説明する。
【０１５６】
第１の例として、相違情報生成部１１４は、シェーマ・テンプレートＴ１とシェーマ・テンプレートＴ２の差分画像を生成する。この差分画像は相違情報の一例である。この処理の具体例を説明する。まず、相違情報生成部１１４は、シェーマ・テンプレートＴ１とシェーマ・テンプレートＴ２の位置合わせを行う。この位置合わせは、たとえば、第１の実施形態におけるシェーマ・テンプレートと眼科画像との位置合わせ（位置合わせ部１１３）と同様にして行うことができる。
【０１５７】
第２の例として、シェーマ・テンプレートＴ１、Ｔ２中の各部分画像を比較して相違情報を生成する方法がある。具体的には、まず、相違情報生成部１１４は、各シェーマ・テンプレートＴ１、Ｔ２中の各部分画像を抽出する。そして、相違情報生成部１１４は、各部分画像について、シェーマ・テンプレートＴ１側の部分画像と、シェーマ・テンプレートＴ２側の部分画像とを比較して差違（位置やサイズの差）を求め、この差違に基づいて相違情報を生成する。
【０１５８】
具体例として、第１の実施形態のように眼底像からシェーマ・テンプレートを作成した場合、相違情報生成部１１４は、まず、各シェーマ・テンプレートＴ１、Ｔ２から視神経乳頭の外縁に対応する画像領域と、各眼底血管に対応する画像領域とを抽出する。
【０１５９】
更に、相違情報生成部１１４は、視神経乳頭の外縁に対応する画像領域について、シェーマ・テンプレートＴ１側の画像領域と、シェーマ・テンプレートＴ２側の画像領域との差違（差分画像）を求める。また、相違情報生成部１１４は、各眼底血管に対応する画像領域について、シェーマ・テンプレートＴ１側の画像領域と、シェーマ・テンプレートＴ２側の画像領域との差違（差分画像）を求める。これら差分画像は相違情報の一例である。
【０１６０】
なお、シェーマ・テンプレートの元の眼科画像の撮影方向等の違いや、テンプレート作成処理における誤差などにより、双方の部分画像の位置がいくらか異なっていることが想定される。このような差違は、視神経乳頭の径の変化や血管の長さの変化などの本質的な変化と区別されるべきである。
【０１６１】
この処理例では、被検眼の特徴部位（視神経乳頭の外縁、眼底血管など）に対応する部分画像を各シェーマ・テンプレート中から特定して比較することができるので、上記のような非本質的な差違を無視し、本質的な相違のみを検出することが可能である。
【０１６２】
たとえば、視神経乳頭の外縁については、各画像領域の径（最大径や、所定方向の径など）を計測し、双方の計測値の差違を求める。この差違が所定閾値未満であるときには、この相違は非本質的なものとして無視する。この場合、たとえ僅かな差違があったとしても差分画像は無しとなる。血管についても同様に、たとえば血管の長さの相違に基づいて差分画像の有無を決定できる。
【０１６３】
なお、上記閾値は、たとえば、多数の臨床データに基づいて統計的に設定することができる。また、上記閾値は、比較対象となる２つのシェーマ・テンプレートの元になった、２つの眼科画像が取得された日時の差違（期間）に基づいて適宜に設定されるようにしてもよい。たとえば、数日の間隔を置いて取得された眼科画像に基づく２つのシェーマ・テンプレートを比較するときの閾値よりも、数ヶ月の間隔を置いて取得された眼科画像に基づく２つのシェーマ・テンプレートを比較するときの閾値の方を大きく設定することができる。
【０１６４】
［動作態様］
眼科情報処理システム１０の動作態様について説明する。図１０に示すフローチャートは、眼科情報処理システム１０の動作の一例を表している。
【０１６５】
当該動作の開始段階では、記憶部１２には、眼科画像Ｇ１、Ｇ２が記憶されている。眼科画像Ｇ２は、眼科画像Ｇ１よりも後に取得されたものとする。また、記憶部１２には、シェーマ・テンプレートＴ１のみが記憶されているものとする（シェーマ・テンプレートＴ２は記憶されていない）。
【０１６６】
まず、オペレータは、操作部１３を操作して、新たに取得された眼科画像Ｇ２を指定する（Ｓ３１）。
【０１６７】
主制御部１１１は、指定された眼科画像Ｇ２を記憶部１２から読み出して表示部１４に表示させる（Ｓ３２）。
【０１６８】
主制御部１１１は、たとえば操作部１３により所定の操作がなされたことに対応し、テンプレート作成部１５の動作を開始させる。テンプレート作成部１５は、第１の実施形態と同様にして、眼科画像Ｇ２に基づいてシェーマ・テンプレートＴ２を作成する（Ｓ３３）。
【０１６９】
主制御部１１１は、作成されたシェーマ・テンプレートＴ２を、当該被検眼の被検眼識別情報Ｅに関連付けて記憶部１２に記憶させる（Ｓ３４）。
【０１７０】
ここで、各シェーマ・テンプレートＴ１、Ｔ２には、その元になった眼科画像Ｇ１、Ｇ２が表す被検眼の部位や撮影条件などの情報が付帯されている。
【０１７１】
次に、相違情報生成部１１４は、シェーマ・テンプレートＴ１とシェーマ・テンプレートＴ２との相違を検出して相違情報を生成する（Ｓ３５）。この相違情報は、先に作成されたシェーマ・テンプレートＴ１と、新たなシェーマ・テンプレートＴ２との相違を表す情報（差分画像）である。
【０１７２】
続いて、主制御部１１１は、この相違情報に示す相違の度合いに基づいて、シェーマ・テンプレートＴ１、Ｔ２のうちの一方を選択して表示部１４に表示させる（Ｓ３６）。
【０１７３】
なお、上記の相違の度合いは、たとえば、差分画像のサイズ（線画像の長さ等）の度合いである。主制御部１１１は、差分画像のサイズが所定値未満である場合には、過去に作成されたシェーマ・テンプレートＴ１を選択し、差分画像のサイズが所定値以上である場合には新たなシェーマ・テンプレートＴ２を選択する。主制御部１１１は、選択されなかったシェーマ・テンプレートを削除してもよい。
【０１７４】
オペレータは、第１の実施形態と同様に、たとえば眼科画像Ｇ２を観察して得られた所見情報等の情報を、眼科画像Ｇ２やシェーマ・テンプレートに記入することができる。以上で、この動作態様の説明を終了する。
【０１７５】
［作用・効果］
眼科情報処理システム１０の作用及び効果を説明する。
【０１７６】
眼科情報処理システム１０は、眼科画像Ｇ１、Ｇ２に基づいてシェーマ・テンプレートＴ１、Ｔ２をそれぞれ作成する。更に、眼科情報処理システム１０は、シェーマ・テンプレートＴ１、Ｔ２の相違を表す相違情報を生成し、この相違情報に基づいてシェーマ・テンプレートＴ１、Ｔ２のうちの一方を選択して表示する。このとき、相違情報に示す相違の度合いに応じてシェーマ・テンプレートＴ１又はシェーマ・テンプレートＴ２が選択される。
【０１７７】
このような眼科情報処理システム１０によれば、眼科画像に示す被検眼の部位の形態の変化に応じたシェーマ・テンプレートを自動的に選択して表示できるので、所見等の情報の記入作業の効率化を図ることができる。
【０１７８】
新たに取得された眼科画像に示す形態が過去の形態とそれほど変わらない場合、過去のシェーマ・テンプレートを用いて新たな眼科画像から得られた所見を入力しても問題はない。
【０１７９】
一方、新たな眼科画像に示す形態が過去の形態から大きく変化する場合がある。たとえば、緑内障により視神経乳頭の径が変化したり、眼底の手術により眼底血管の走行位置が回復したりすることがある。このような場合には、変化前の眼科画像に基づくシェーマ・テンプレートから変化後のシェーマ・テンプレートに切り替えて新たな所見等を入力することが望ましい。
【０１８０】
このような場合において、眼科情報処理システム１０によれば、現時点における被検眼の部位の形態（新たな眼科画像に示す形態）に合わせてシェーマ・テンプレートを選択して表示することが可能である。
【０１８１】
［他の動作態様］
眼科情報処理システム１０の他の動作態様を説明する。上記の動作態様は、相違情報に基づいてシェーマ・テンプレートＴ１、Ｔ２のうちの一方を選択して表示するものであるが、以下に説明する動作態様は、相違情報に基づいて新たなシェーマ・テンプレートを表示するものである。
【０１８２】
図１１に示すフローチャートは、当該動作態様の一例を表している。当該動作の開始段階では、記憶部１２には、眼科画像Ｇ１、Ｇ２が記憶されている。眼科画像Ｇ２は、眼科画像Ｇ１よりも後に取得されたものとする。また、記憶部１２には、シェーマ・テンプレートＴ１のみが記憶されているものとする（シェーマ・テンプレートＴ２は記憶されていない）。
【０１８３】
まず、オペレータは、操作部１３を操作して、新たに取得された眼科画像Ｇ２を指定する（Ｓ４１）。
【０１８４】
主制御部１１１は、指定された眼科画像Ｇ２を記憶部１２から読み出して表示部１４に表示させる（Ｓ４２）。
【０１８５】
主制御部１１１は、たとえば操作部１３により所定の操作がなされたことに対応し、テンプレート作成部１５の動作を開始させる。テンプレート作成部１５は、第１の実施形態と同様にして、眼科画像Ｇ２に基づいてシェーマ・テンプレートＴ２を作成する（Ｓ４３）。
【０１８６】
主制御部１１１は、作成されたシェーマ・テンプレートＴ２を、当該被検眼の被検眼識別情報Ｅに関連付けて記憶部１２に記憶させる（Ｓ４４）。なお、各シェーマ・テンプレートＴ１、Ｔ２には、それぞれ、眼科画像Ｇ１、Ｇ２が表す被検眼の部位や撮影条件などの情報が付帯されている。
【０１８７】
次に、相違情報生成部１１４は、シェーマ・テンプレートＴ１とシェーマ・テンプレートＴ２との相違を検出して相違情報を生成する（Ｓ４５）。
【０１８８】
主制御部１１１は、シェーマ・テンプレートＴ１又はシェーマ・テンプレートＴ２と、相違情報（差分画像）とに基づいて、表示部１４に新たなシェーマ・テンプレートを表示させる（Ｓ４６）。
【０１８９】
ステップ４６の処理の具体例を説明する。主制御部１１１は、シェーマ・テンプレートＴ１（又はシェーマ・テンプレートＴ２：以下同様）を表示部１４に表示させるとともに、シェーマ・テンプレートＴ１上に差分画像を重畳表示させる。
【０１９０】
このとき、シェーマ・テンプレートＴ１と異なる表示態様で差分画像を表示させることが望ましい。たとえば、シェーマ・テンプレートＴ１（中の線画像）と差分画像とを異なる色で表示させることができる。このように、シェーマ・テンプレートＴ１と差分画像とを重畳表示した画像は、この発明の「重畳画像」の一例である。
【０１９１】
また、シェーマ・テンプレートＴ１と差分画像とを重畳表示させる代わりに、シェーマ・テンプレートＴ１中における差分画像との共通部分の表示態様を変えて表示することも可能である。
【０１９２】
オペレータは、第１の実施形態と同様に、たとえば眼科画像Ｇ２を観察して得られた所見情報等の情報を、眼科画像Ｇ２やシェーマ・テンプレートに記入することができる。
【０１９３】
この動作態様によれば、上記実施形態と同様に所見等の記入作業の効率化を図ることができる。更に、この動作態様によれば、オペレータは、シェーマ・テンプレートの変化を把握できるので、たとえば経過観察における所見の記入作業を支援することが可能である。
【０１９４】
［プログラム］
この発明に係るプログラムは、眼科画像を記憶するコンピュータに次の処理を実行させる：（１）眼科画像に基づいて、被検眼の部位の概略形態を表す画像を含むシェーマ・テンプレートを作成させる；（２）シェーマ・テンプレートを記憶させる；（３）オペレータが操作手段により所定の操作を行ったときに、シェーマ・テンプレートを読み出して表示させる；（４）オペレータが操作手段を用いて入力した情報をシェーマ・テンプレートに付加させる。
【０１９５】
この発明に係るプログラムは、上記実施形態で説明した任意の処理を上記コンピュータに実行させるように構成することが可能である。上記実施形態のプログラム１０４ａは、この発明に係る「プログラム」の一例である。
【０１９６】
この発明に係るプログラムによれば、被検眼の画像からシェーマ・テンプレートを作成することができるので、病変部等の注目部位の記入位置を従来よりも容易に決定することができる。それにより、所見等の情報の記入作業の効率化を図ることが可能になる。
【０１９７】
更に、この発明に係るプログラムによれば、従来のように多数のシェーマ・テンプレートのうちから所望のものを選択する必要がないので、所見等の記入作業の効率化を図ることができる。
【０１９８】
また、この発明に係るプログラムによれば、過去にシェーマ・テンプレートに記入された情報を閲覧する際に、その記入位置が眼底画像中のどの位置に対応しているかを容易に判断することができる。それにより、所見等の情報の閲覧作業の効率化を図ることが可能になる。
【０１９９】
このプログラムは、コンピュータのドライブ装置によって読み取り可能な任意の記憶媒体に記憶させることができる。たとえば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などの記憶媒体を用いることが可能である。また、ハードディスクドライブやメモリ等の記憶装置に記憶させることも可能である。更に、インターネットやＬＡＮ等のネットワークを通じてこのプログラムを送受信することも可能である。
【０２００】
以上に詳述した実施形態は、この発明に係る眼科情報処理システム及びプログラムの一例に過ぎない。よって、この発明の要旨の範囲内における任意の変形を適宜に施すことが可能である。
【０２０１】
たとえば、上記実施形態におけるテンプレート作成処理では、（１）変換処理、（２）抽出処理、（３）消去処理、（４）描画処理、を当該順序で実行しているが、これらの処理の組み合わせや順序以外の処理によってシェーマ・テンプレートを作成することが可能である。
【図面の簡単な説明】
【０２０２】
【図１】この発明に係る眼科情報処理システムの実施形態の構成の一例を表す概略ブロック図である。
【図２】この発明に係る眼科情報処理システムの実施形態のハードウェア構成の一例を表す概略ブロック図である。
【図３】この発明に係る眼科情報処理システムの実施形態の動作の一例を表すフローチャートである。
【図４】この発明に係る眼科情報処理システムの実施形態の動作の一例を表すフローチャートである。
【図５】この発明に係る眼科情報処理システムの実施形態に記憶される眼科画像の一例を表す概略図である。
【図６】この発明に係る眼科情報処理システムの実施形態により生成される眼科画像の一例を表す概略図である。
【図７】この発明に係る眼科情報処理システムの実施形態により生成される眼科画像の一例を表す概略図である。
【図８】この発明に係る眼科情報処理システムの実施形態により作成されるシェーマ・テンプレートの一例を表す概略図である。
【図９】この発明に係る眼科情報処理システムの実施形態の構成の一例を表す概略ブロック図である。
【図１０】この発明に係る眼科情報処理システムの実施形態の動作の一例を表すフローチャートである。
【図１１】この発明に係る眼科情報処理システムの実施形態の動作の一例を表すフローチャートである。
【符号の説明】
【０２０３】
１、１０  眼科情報処理システム
１１  制御部
１１１  主制御部
１１２  シェーマ入力部
１１３  位置合わせ部
１１４  相違情報生成部
１２  記憶部
Ｇ、Ｇ１、Ｇ２  眼科画像
Ｔ、Ｔ１、Ｔ２  シェーマ・テンプレート
Ｅ  被検眼識別情報
１３  操作部
１４  表示部
１５  テンプレート作成部
１５１  変換処理部
１５２  抽出処理部
１５３  消去処理部
１５４  描画処理部
【図１】
2009106532.tif 000003
【図２】
2009106532.tif 000004
【図３】
2009106532.tif 000005
【図４】
2009106532.tif 000006
【図５】
2009106532.tif 000007
【図６】
2009106532.tif 000008
【図７】
2009106532.tif 000009
【図８】
2009106532.tif 000010
【図９】
2009106532.tif 000011
【図１０】
2009106532.tif 000012
【図１１】
2009106532.tif 000013